(57)【要約】【課題】２枚以上の複屈折フイルムが貼り合わされてなる複合フイルムに対して、貼合されている複屈折フイルム個々の主軸の方向を精度良く測定できる複屈折性フイルムの主軸測定方法を提供すること。【解決手段】複合フイルムのレターデーション値を、エリプソメータにより入射光に対する透過光の偏光状態の変化を検出することにより求め、該レターデーション値と貼合されている複屈折性フイルムのレターデーション値とを比較する測定方法であって、入射光照射側に貼合されている複屈折性フイルムと同一または光学補償関係にある複屈折性フイルムを複合フイルムの入射光照射側に配置して、該同一または光学補償関係にある複屈折性フイルムを複合フイルムに対し相対的に回転させることで、該入射光照射側に貼合されている複屈折性フイルムの複屈折性を光学補償することを利用する。【選択図】    図３
2004294370.tif 000002
【特許請求の範囲】
【請求項１】
２枚の複屈折性フイルムが貼り合わされてなる複合フイルムのレターデーション値を、エリプソメータにより入射光に対する透過光の偏光状態の変化を検出することにより求め、該複合フイルムのレターデーション値と、前記貼合されている２枚の複屈折性フイルムのうち、前記透過光出射側の複屈折性フイルムのレターデーション値とのレターデーション比較値から、前記貼合されている複屈折性フイルムの主軸を求める主軸測定方法であって、前記複合フイルムの前記入射光照射側の複屈折性フイルムと同一または光学補償関係にある複屈折性フイルムを前記入射光照射側に配置して、該同一または光学補償関係にある複屈折性フイルムを介して前記入射光を前記複合フイルムに照射し、該同一または光学補償関係にある複屈折性フイルムを前記複合フイルムに対して相対的に回転させることにより得られる前記レターデーション比較値の回転角依存性から、前記入射光照射側に貼合されている複屈折性フイルムの主軸を求めることを特徴とする複屈折性フイルムの主軸測定方法。
【請求項２】
波長の異なる複数の入射光に対し、前記レターデーション比較値の前記回転角依存性を求めることを特徴とする請求項１に記載の複屈折性フイルムの主軸測定方法。
【請求項３】
入射光軸に対し、前記複合フイルムを傾斜させて、前記レターデーション比較値の前記回転角依存性を求めることを特徴とする請求項１または２に記載の複屈折性フイルムの主軸測定方法。
【請求項４】
前記貼合されている複屈折性フイルムの少なくともいずれか一方が、複数枚の複屈折性フイルムが貼り合わされてなるフイルムであることを特徴とする請求項１〜３のいずれかに記載の複屈折性フイルムの主軸測定方法。
【請求項５】
２枚の複屈折性フイルムが貼り合わされてなる複合フイルムのレターデーション値を、エリプソメータにより入射光に対する透過光の偏光状態の変化を検出することにより求め、該複合フイルムのレターデーション値と、前記貼合されている２枚の複屈折性フイルムのうち、前記透過光出射側の複屈折性フイルムのレターデーション値とのレターデーション比較値から、前記貼合されている複屈折性フイルムの主軸を求める主軸測定方法であって、前記入射光の偏光方向を前記複合フイルムに対して相対的に回転させることにより得られる前記レターデーション比較値の回転角依存性から前記入射光照射側の複屈折性フイルムの主軸を求めることを特徴とする複屈折性フイルムの主軸測定方法。
【請求項６】
請求項１〜５のいずれかに記載の主軸測定方法をコンピューターに実行させるための複屈折性フイルムの主軸測定プログラム。
【発明の詳細な説明】
【０００１】
【発明の属する技術分野】
本発明は、２枚以上の複屈折フイルムが貼り合わされてなる複合フイルムに対して、貼合されている複屈折フイルム個々の主軸の方向を測定する主軸測定方法、及び主軸測定方法を実行させるためのプログラムに関する。
【０００２】
【従来の技術】
液晶ディスプレイの普及に伴い、位相差フイルムなどの複屈折性フイルムの需要が拡大している。これらのフイルムの複屈折性は、フイルムの屈折率が軸方向によって異なる光学異方性に起因して光がフイルムを透過したときに生じる位相差（レターデーション）として現れる。一般に、プラスチック材料を延伸すると高分子が配向することで光学異方性が得られ、延伸工程の検査手段として、また、位相差フイルムの光学特性の検査手段として、レターデーション値や主軸の方向などの複屈折特性を測定する手段はよく知られている（例えば、特許文献１参照）。
【０００３】
しかしながら、液晶ディスプレイ等に使用されている位相差フイルムは、一般に、その光学補償等の目的のため、主軸の方向が互いに異なる複数の複屈折性フイルムが貼り合わされている複合フイルムであり、単独フイルムでの複屈折特性が既知であっても、一度貼り合わせてしまった後で、個々のフイルムの複屈折特性を上記手段により精度良く測定するのは難しい。
複合フイルムにおいて、貼合されている複屈折性フイルム同士の主軸がなす角は、複合フイルムの光学特性を調整する上で特に重要であり、貼合されている個々のフイルムの主軸を精度良く測定することが望まれている。
これまで提案された方法としては、２枚の複屈折性フイルムが貼り合わされた複合フイルムに対して、該複合フイルムを１枚のフイルムと見なし、複合フイルム全体のレターデーション値を測定して得た実測値と、個々の複屈折性フイルムのレターデーション値と主軸の配向方向とを仮定して貼り合わせたときのレターデーション値を計算して得た計算値とから、実測値と一致する複屈折性フイルムのレターデーション値と配向方向との組合せを求めることで、個々の複屈折性フイルムの複屈折特性を決定する方法がある（例えば、非特許文献１参照）。
【０００４】
【特許文献１】
特開平１１−２１１６５６号公報
【非特許文献１】
「プラスチックエージ」，２０００年，４月号，ｐ．１５４−１５６
【０００５】
【発明が解決しようとする課題】
しかしながら、上記従来の方法では、実測値と一致するレターデーション値と配向方向との組合せは一意に定まらず、特に主軸の方向を十分な精度で決定できないことが問題である。
本発明は、上記のような状況に鑑み、２枚以上の複屈折フイルムが貼り合わされてなる複合フイルムに対して、貼合されている複屈折フイルム個々の主軸の方向を精度良く測定できる複屈折性フイルムの主軸測定方法を提供することを目的とする。さらに、本発明は、該主軸測定方法をコンピューターに実行させるためのプログラムを提供することも目的とする。
【０００６】
【課題を解決するための手段】
上記課題は、以下の手段により解決される。
（１）２枚の複屈折性フイルムが貼り合わされてなる複合フイルムのレターデーション値を、エリプソメータにより入射光に対する透過光の偏光状態の変化を検出することにより求め、該複合フイルムのレターデーション値と、前記貼合されている２枚の複屈折性フイルムのうち、前記透過光出射側の複屈折性フイルムのレターデーション値とのレターデーション比較値から、前記貼合されている複屈折性フイルムの主軸を求める主軸測定方法であって、前記複合フイルムの前記入射光照射側の複屈折性フイルムと同一または光学補償関係にある複屈折性フイルムを前記入射光照射側に配置して、該同一または光学補償関係にある複屈折性フイルムを介して前記入射光を前記複合フイルムに照射し、該同一または光学補償関係にある複屈折性フイルムを前記複合フイルムに対して相対的に回転させることにより得られる前記レターデーション比較値の回転角依存性から、前記入射光照射側に貼合されている複屈折性フイルムの主軸を求めることを特徴とする複屈折性フイルムの主軸測定方法。
【０００７】
（２）波長の異なる複数の入射光に対し、前記レターデーション比較値の前記回転角依存性を求めることを特徴とする上記（１）に記載の複屈折性フイルムの主軸測定方法。
（３）入射光軸に対し、前記複合フイルムを傾斜させて、前記レターデーション比較値の前記回転角依存性を求めることを特徴とする上記（１）または（２）に記載の複屈折性フイルムの主軸測定方法。
（４）前記貼合されている複屈折性フイルムの少なくともいずれか一方が、複数枚の複屈折性フイルムが貼り合わされてなるフイルムであることを特徴とする上記（１）〜（３）のいずれかに記載の複屈折性フイルムの主軸測定方法。
【０００８】
（５）２枚の複屈折性フイルムが貼り合わされてなる複合フイルムのレターデーション値を、エリプソメータにより入射光に対する透過光の偏光状態の変化を検出することにより求め、該複合フイルムのレターデーション値と、前記貼合されている２枚の複屈折性フイルムのうち、前記透過光出射側の複屈折性フイルムのレターデーション値とのレターデーション比較値から、前記貼合されている複屈折性フイルムの主軸を求める主軸測定方法であって、前記入射光の偏光方向を前記複合フイルムに対して相対的に回転させることにより得られる前記レターデーション比較値の回転角依存性から前記入射光照射側の複屈折性フイルムの主軸を求めることを特徴とする複屈折性フイルムの主軸測定方法。
【０００９】
（６）上記（１）〜（５）のいずれかに記載の主軸測定方法をコンピューターに実行させるための複屈折性フイルムの主軸測定プログラム。
【００１０】
【発明の実施の形態】
以下、本発明についてさらに詳細に説明する。
複屈折性フイルムには、一般に、屈折率が最大になる方向と最小となる方向の２つの主軸が互いに直交して存在する。本明細書において「主軸」とは、屈折率が最大になる方向または最小となる方向のいずれか一方を指すが、本発明の主軸測定方法ではいずれの主軸を測定することも可能である。
【００１１】
本発明に係る複屈折性フイルムの第一の主軸測定方法は、２枚の複屈折性フイルムが貼り合わされてなる複合フイルムのレターデーション値を、エリプソメータにより入射光に対する透過光の偏光状態の変化を検出することにより求め、該複合フイルムのレターデーション値と、前記貼合されている２枚の複屈折性フイルムのうち、前記透過光出射側の複屈折性フイルムのレターデーション値とのレターデーション比較値から、前記貼合されている複屈折性フイルムの主軸を求める主軸測定方法であって、前記複合フイルムの前記入射光照射側の複屈折性フイルムと同一または光学補償関係にある複屈折性フイルムを前記入射光照射側に配置して、該同一または光学補償関係にある複屈折性フイルムを介して前記入射光を前記複合フイルムに照射し、該同一または光学補償関係にある複屈折性フイルムを前記複合フイルムに対して相対的に回転させることにより得られる前記レターデーション比較値の回転角依存性から、前記入射光照射側に貼合されている複屈折性フイルムの主軸を求めることを特徴とする。
【００１２】
本発明の上記測定方法は、入射光照射側に貼合されている複屈折性フイルムと同一または光学補償関係にある複屈折性フイルムを複合フイルムの入射光照射側に配置することにより、該入射光照射側に貼合されている複屈折性フイルムの複屈折性を光学補償することを利用するものである。
「光学補償」とは、液晶や複屈折性フイルムなどの複屈折性媒体を光が透過した際に生じる複屈折性を補正する機能を意味する。つまり、本発明は、入射光照射側の複屈折性フイルムの複屈折性を該フイルムと同一または光学補償関係にある複屈折性フイルムにより補正し、見かけ上打ち消すことを利用するものである。上記の同一または光学補償関係にあるフイルムは、入射光照射側の複屈折性フイルムに対して、その主軸同士が特定の角度になるように配置したときに、該入射光照射側の複屈折性フイルムの複屈折性を光学補償することができるフイルムである。
【００１３】
また、本発明の上記測定方法に用いる「エリプソメータ」とは、光が物質を反射や透過するときの偏光状態の変化を観測し、そこから屈折率等に関する物質の情報を求める手段である。本発明では、エリプソメータを、光が複合フイルムを透過するときの偏光状態の変化を検出し、該フイルムのレターデーション値を求めるのに利用する。
【００１４】
上記光学補償を利用する本発明の測定方法の原理を、各フイルムの関係を模式的に示した図１及び図２を利用して説明する。
図１において、複合フイルム１は複屈折性フイルムであるフイルムＡ及びフイルムＢからなり、フイルムＡ、フイルムＢそれぞれの主軸の方向がａ、ｂであるとする。なお、説明の都合上、フイルムＡとフイルムＢとは間隔を空けて描いているが、実際には貼合されている。フイルムＡ’は、フイルムＡと同一または光学補償関係にあるフイルムで、そのレターデーション値や主軸方向などが既知の複屈折性フイルムである。該フイルムＡ’は、複合フイルム１に対して、入射光Ｌの照射側に配置される。
本発明では、複合フイルム１にフイルムＡ’を介して入射光Ｌを照射し、透過光Ｌｂの偏光状態を検出することで、複合フイルム１のレターデーション値を測定する。入射光Ｌは、それぞれのフイルムの複屈折性により偏光方向や位相などの状態が変化し、最終的に複合フイルム１を透過してくる透過光Ｌｂは、これらの状態変化を反映したものとなる。
【００１５】
この透過光Ｌａ’、Ｌａ、Ｌｂの状態は、フイルムＡ’を複合フイルム１（フイルムＡ、Ｂ）に対して相対的に回転させることで変化する。フイルムＡ’の主軸方向ａ’とフイルムＡの主軸方向ａとが特定の角度となるとき、フイルムＡ’を透過して生ずる入射光Ｌから透過光Ｌａ’への状態変化は、フイルムＡを透過して生ずる透過光Ｌａ’から透過光Ｌａへの状態変化により打ち消される、換言すれば、フイルムＡ’によりフイルムＡが光学補償されることになる。この場合、入射光Ｌにとっては、見かけ上フイルムＢのみが存在する状態となり、透過光Ｌｂには、フイルムＢの複屈折性による状態変化しか反映されないので、透過光Ｌｂを検出して得られるレターデーション値はフイルムＢ単独のものとなる。
フイルムＡ’によりフイルムＡが光学補償される際のフイルムＡ’の主軸方向ａ’とフイルムＡの主軸方向ａとの角度は、フイルムＡ’の複屈折性により決まり、例えば、フイルムＡ’がフイルムＡと同一のフイルムの場合は、図２に示すように、略９０°である。
【００１６】
したがって、フイルムＡ’を複合フイルム１に対して相対的に回転させ、透過光Ｌｂを検出して得られる複合フイルム１のレターデーション値とフイルムＢの既知のレターデーション値とを比較したレターデーション比較値の回転角依存性を求めれば、フイルムＡの主軸方向ａを決定することができる。すなわち、フイルムＡ’を回転させていき、複合フイルム１のレターデーション値とフイルムＢのレターデーション値とが実質的に一致したときのフイルムＡ’の主軸方向ａ’により求めることができる。例えば、図２に示すように、フイルムＡ’とフイルムＡとがそのの主軸方向ａ’とａとが略９０°になるとき互いに光学補償される関係にあるときは、複合フイルム１のレターデーション値とフイルムＢのレターデーション値とが実質的に一致したときのフイルムＡ’の主軸方向ａ’に対して直交する方向がフイルムＡの主軸方向ａである。フイルムＡ’がフイルムＡと同一の複屈折性フイルムの場合には、通常、主軸方向ａ’とａとが略９０°になるとき互いに光学補償される関係にある。
【００１７】
本発明の上記測定方法によれば、フイルムＡ’によりフイルムＡの複屈折性が光学補償されるのは、フイルムＡ’の主軸方向ａ’とフイルムＡの主軸方向ａとが特定の角度となる場合のみなので、フイルムＡの主軸方向ａを一意に求めることができる。
【００１８】
フイルムＢの主軸方向ｂは、フイルムＢと同一または光学補償関係にあり、そのレターデーション値や主軸方向などが既知のフイルムＢ’を介して、フイルムＢ側から光を照射することで、上記と同様な原理により求めることができる。また、フイルムＡの主軸方向ａを求めた後、複合フイルム１のレターデーション測定値とフイルムＡの主軸方向ａとから計算することもできる。
【００１９】
図３に、上記測定原理に従う本発明の第一の主軸測定方法の測定手順の一例をフローチャートで示す。
【００２０】
図３において、ステップ１では、ある特定波長の入射光を用いて複合フイルム１のレターデーション値を測定する。
本発明における複合フイルム１のレターデーション値の測定方法としては、特に限定されず、複屈折性フイルムのレターデーション測定方法として公知の方法を利用することができる。例えば、公知のレターデーション測定方法としては、「位相変調法」、「回転検光子法」、「光ヘテロダイン法」等が知られており、本発明では、いずれの方法でも利用することができる。上記レターデーション測定方法は、該フイルムを透過した透過光の偏光状態の変化を検出し、レターデーション値を求めるものである。具体的には、「位相変調法」は、フイルムに照射する入射光の偏光状態を光弾性変調器を使って変調させ、入射光と透過光の偏光状態の差からレターデーション値を求める方法である。また、「回転検光子法」は、フイルムと光検出器との間に置いた検光子を回転させながら、その検光子の回転に伴う光強度信号の強度変化から透過光の偏光状態を解析してレターデーション値を求める方法である。さらに、「光へテロダイン法」は、フイルムに対して直交する２つの直線偏光を透過させ、その２つの偏光を検光子により干渉させて得られたビート信号からレターデーション値を求める方法である。
また、レターデーション測定方法については、Ｒ．  Ｍ．  Ａ．  Ａｚｚａｍ，Ｎ．  Ｍ．  Ｂａｓｈａｒａ著，「Ｅｌｌｉｐｓｏｍｅｔｒｙ  ａｎｄ  Ｐｏｌａｒｉｚｅｄ  Ｌｉｇｈｔ」，Ｎｏｒｔｈ  Ｈｏｌｌａｎｄ（１９７７年）にも詳しく記載されており、本発明でも利用することができる。
【００２１】
レターデーション値の測定に用いる入射光は、可視光（およそ波長４００〜８００ｎｍ）が好ましい。測定に用いる代表的な波長としては、４８０ｎｍ、５５０ｎｍ、６３０ｎｍ、７６０ｎｍなどが挙げられる。光源としては、所望の特定波長のレーザー光を利用してもよいし、白色光源などからの光をバンドパスフィルターに通して特定波長の光としたものを利用してもよい。また、入射光としては、光源からの光を偏光子に通すなどして得られる直線偏光や、円偏光などその他の偏光状態の光を用いることもできる。
レターデーション測定に用いる測定装置は、特に限定されず、公知の測定装置を用いることができる。
【００２２】
ステップ２では、複合フイルム１の該レターデーション測定値と、前記特定波長に対するフイルムＢの既知のレターデーション値とからレターデーション比較値を求める。ここで、レターデーション比較値としては、複合フイルム１のレターデーション測定値とフイルムＢの既知のレターデーション値との差をとってもよいし、比をとってもよい。
ステップ３では、フイルムＡ’を複合フイルム１に対して相対的にある角度回転させ、上記ステップ１および２を繰り返し、レターデーション比較値の回転角依存性を求める。フイルムＡ’の回転は、基準から−９０°〜＋９０°の範囲で行なえばよく、その回転幅は０．５程度が好ましい。この回転幅は、求められる精度や測定時間によって適宜変更できる。
ステップ４では、回転角依存性からフイルムＡの主軸方向ａを求める。ここで、レターデーション比較値により、複合フイルム１のレターデーション測定値とフイルムＢの既知のレターデーション値との差が最も小さい、またはその比が最も１に近い回転角を求める。フイルムＡ’として、フイルムＡとがそのの主軸方向ａ’とａとが略９０°になるとき互いに光学補償される関係にある複屈折性フイルムを用いている場合には、該回転角におけるフイルムＡ’の主軸方向ａ’と直交する方向がフイルムＡの主軸方向ａとなる。
【００２３】
本発明に係る複屈折性フイルムの主軸測定方法は、また、波長の異なる複数の入射光に対し、前記レターデーション比較値の前記回転角依存性を求めることができる。波長の異なる複数の直線偏光を用いることで、レターデーション値の波長分散を得られるので、レターデーション比較値を評価するデータ点が増すので、フイルムＡの主軸方向ａを精度良く決定することができる。
図４に、フイルムＡ、フイルムＢ、複合フイルム１のレターデーション値の波長分散の様相を模式的に示す。図４（ａ）に示すのは、フイルムＡ、フイルムＢ各々単独でのレターデーション値の波長分散である。これに対し、フイルムＡとフイルムＢが貼り合わされてなる複合フイルム１の波長分散は、一般に、図４（ｂ）に示すようになる。フイルムＡ’を配置し、フイルムＡ’の主軸方向ａ’とフイルムＡの主軸方向ａとが特定の角度をなし、フイルムＡの複屈折性が光学補償されたとき、複合フイルム１の波長分散は、図４（ｃ）に示すように、フイルムＢの波長分散とほぼ一致する。
【００２４】
図５に、上記レターデーション値の波長分散を求める場合の測定手順の一例をフローチャートで示す。
まず、ステップ１では、ある特定波長の入射光を用いて複合フイルム１のレターデーション値を測定する。
【００２５】
次に、本実施形態では、ステップ２において、入射光の波長を変え、上記ステップ１を繰り返し、該レターデーション測定値の波長分散を求める。ここで、波長分散を求めるのに選択する入射光の波長の数としては、少なくとも４波長以上で、波長間隔が１０ｎｍ以上とするのが望ましい。
【００２６】
次に、ステップ３で、複合フイルム１の該レターデーション測定値の波長分散と、フイルムＢの既知のレターデーション値の波長分散とからレターデーション比較値を求める。ここで、レターデーション比較値としては、測定した各波長に対して、複合フイルム１のレターデーション測定値とフイルムＢのレターデーション値との差を求め、該差を測定した全波長に対し積分した積分値などが挙げられる。該積分値は、既知のフイルム特性を考慮して、波長ごとに特定の係数を加減乗除して求めてもよい。このレターデーションの比較は、一般的に用いられる波形の相違を数値化する方法であれば、いずれの方法を用いてもよい。
【００２７】
続いて、ステップ４で、レターデーション比較値の回転角依存性を求める。
最後に、ステップ５で、該回転角依存性からフイルムＡの主軸方向ａを求める。ここで、レターデーション比較値とした前記積分値が最も小さくなる回転角を求める。フイルムＡ’として、フイルムＡとがそのの主軸方向ａ’とａとが略９０°になるとき互いに光学補償される関係にある複屈折性フイルムを用いている場合には、該回転角におけるフイルムＡ’の主軸方向ａ’と直交する方向がフイルムＡの主軸方向ａとなる。
【００２８】
本発明に係る複屈折性フイルムの主軸測定方法は、また、前記入射光の入射光軸に対し、前記複合フイルムを傾斜させて、前記レターデーション比較値の前記回転角依存性を求めることができる。これにより、フイルムの厚み方向に複屈折性を有し、主軸方向がフイルム面に対し傾斜している場合でも、その方向を精度良く求めることができる。
【００２９】
さらに、本発明に係る複屈折性フイルムの主軸測定方法では、前記貼合されている複屈折性フイルムの少なくともいずれか一方が、複数枚の複屈折性フイルムが貼り合わされてなるフイルムであってもよい。
本発明の上記測定方法は、３枚以上の複屈折性フイルムが貼り合わされてなる複合フイルムに対しても適用できる。この場合、複数枚の複屈折性フイルムを貼り合わせたものを前記のフイルムＡおよび／またはフイルムＢとして１枚のフイルムと見なすことで、主軸方向を順次求めることができる。
【００３０】
本発明に係る第二の主軸測定方法は、２枚の複屈折性フイルムが貼り合わされてなる複合フイルムのレターデーション値を、エリプソメータにより入射光に対する透過光の偏光状態の変化を検出することにより求め、該複合フイルムのレターデーション値と、前記貼合されている２枚の複屈折性フイルムのうち、前記透過光出射側の複屈折性フイルムのレターデーション値とのレターデーション比較値から、前記貼合されている複屈折性フイルムの主軸を求める主軸測定方法であって、前記入射光の偏光方向を前記複合フイルムに対して相対的に回転させることにより得られる前記レターデーション比較値の回転角依存性から前記入射光照射側の複屈折性フイルムの主軸を求めることを特徴とする。
【００３１】
この本発明の主軸測定方法も、該入射光照射側に貼合されている複屈折性フイルムの複屈折性を見かけ上打ち消すことを利用するものであるが、前記主軸測定方法とその方法が異なる。すなわち、本発明の第二の主軸測定方法においては、複合フイルムに照射する入射光の偏光方向をフイルムに対し相対的に回転させる。
【００３２】
入射光の偏光状態が直線偏光の場合を例に、この第二の主軸測定方法における各フイルムと入射直線偏光との関係を図６に模式的に示す。図６において、複合フイルム１は複屈折性フイルムであるフイルムＡ及びフイルムＢからなり、フイルムＡ、フイルムＢそれぞれの主軸の方向がａ、ｂであるとする。図１と同じく図６においても、説明の都合上、フイルムＡとフイルムＢとは間隔を空けて描いているが、実際には貼合されている。
この第二の主軸測定方法では、入射光Ｌの偏光方向ｌを複合フイルム１に対して相対的に回転させる。入射光Ｌの偏光方向ｌがフイルムＡの主軸方向ａとほぼ一致したときは、入射光Ｌは、フイルムＡの複屈折性の影響を受けずにフイルムＡを透過することになるので、この場合、照射光Ｌにとっては、見かけ上フイルムＢのみが存在することになり、透過光Ｌｂを検出して得られるレターデーション値はフイルムＢ単独のものとなる。したがって、入射光Ｌを回転させ、複合フイルム１のレターデーション値とフイルムＢのレターデーション値とが実質的に一致したときの入射光Ｌの偏光方向ｌがフイルムＡの主軸方向ａである。
【００３３】
図７に、上記測定原理に従う第二の主軸測定方法の測定手順の一例をフローチャートで示す。
まず、ステップ１では、ある特定波長の直線偏光を用いて複合フイルム１のレターデーション値を測定する。次に、ステップ２で、複合フイルム１の該レターデーション測定値と、フイルムＢの既知のレターデーション値とからレターデーション比較値を求める。
次に、本実施形態では、ステップ３において、入射直線偏光の偏光方向ｌを複合フイルム１に対して相対的にある角度回転させ、上記ステップ１および２を繰り返し、レターデーション比較値の回転角依存性を求める。
最後に、ステップ４で、該回転角依存性からフイルムＡの主軸方向ａを求める。本実施形態では、レターデーション比較値により、複合フイルム１のレターデーション測定値とフイルムＢの既知のレターデーション値との差が最も小さい、またはその比が最も１に近い回転角を求める。該回転角における照射直線偏光の偏光方向ｌがフイルムＡの主軸方向ａとなる。
【００３４】
また、この第二の主軸測定方法においても、上記第一の測定方法と同様に、波長の異なる複数の入射光に対し、前記レターデーション比較値の前記回転角依存性を求めることができる。
【００３５】
本発明に係る複屈折性フイルムの主軸測定プログラムは、上記の主軸測定方法を実行させるためのものである。該プログラムの処理手順は、上記で説明した主軸測定方法における各ステップと同様である。このようなプログラムは、ＣＤ−ＲＯＭ等の公知のコンピューターが読み取り可能な記録媒体に記録され、または、インターネット等のネットワークから搬送波によって送信されて供給することができる。
【００３６】
【発明の効果】
以上説明したように、本発明によれば、２枚以上の複数の複屈折性フイルムが貼り合わされてなる複合フイルムに対し、個々の貼合されている複屈折性フイルムの複屈折主軸の方向を精度良く求めることができる。
【図面の簡単な説明】
【図１】本発明の第一の主軸測定方法における各フイルムの関係を模式的に示す図である。
【図２】本発明の第一の主軸測定方法における各フイルムの関係を模式的に示す図である。
【図３】第一の主軸測定方法の測定手順の一例を示すフローチャート図である。
【図４】各フイルムのレターデーション値の波長分散の様相を模式的に示す図である。
【図５】レターデーション値の波長分散を求める場合の測定手順の一例を示すフローチャート図である。
【図６】本発明の第二の主軸測定方法における各フイルムの関係を模式的に示す図である。
【図７】第二の主軸測定方法の測定手順の一例を示すフローチャート図である。
【符号の説明】
１    複合フイルム
Ａ    複合フイルム１を構成する複屈折性フイルム
Ａ’  フイルムＡと同一フイルム
Ｂ    複合フイルム１を構成する複屈折性フイルム
ａ    フイルムＡの主軸方向
ａ’  フイルムＡ’の主軸方向
ｂ    フイルムＢの主軸方向
Ｒｅ  レターデーション値
λ    波長
Ｌ    入射光
Ｌａ  フイルムＡの透過光
Ｌａ’フイルムＡ’の透過光
Ｌｂ  フイルムＢの透過光（複合フイルム１の透過光）
ｌ    入射直線偏光の偏光方向
【図１】
2004294370.tif 000003
【図２】
2004294370.tif 000004
【図３】
2004294370.tif 000005
【図４】
2004294370.tif 000006
【図５】
2004294370.tif 000007
【図６】
2004294370.tif 000008
【図７】
2004294370.tif 000009